(57)【要約】【課題】テープ媒体に記録された映像をディスク媒体へ転送して記録する際の操作性を向上できるようにするとともに、ディスク媒体に記録した映像のアクセス性を向上できるようにする。【解決手段】伝送路を介して送られてくるテープ媒体より再生された映像ストリームを受信し、ランダムアクセス可能な記録媒体に記録する際に、映像ストリームの不連続部分においてファイルを複数に分割してランダムアクセス可能な記録媒体に保存し、前記保存した複数のファイルを後でまとめるためのプレイリストを生成するようにして、テープ媒体にシーケンシャルに記録された映像を自動的に分割できるようにすることにより、ランダムアクセス可能なディスク媒体上の個別なファイルとしてダビングする場合の手間を容易化できるようにする。【選択図】図１
2007110247.tif 000002
【特許請求の範囲】
【請求項１】
伝送路を介して送信された映像ストリームを受信し、ランダムアクセス可能な記録媒体に記録する記録装置であって、
前記受信した映像ストリームの不連続点を検出する検出手段と、
前記検出手段により検出された不連続点の前後で前記映像ストリームを分割する分割手段と、
前記分割手段により分割された不連続点ごとの映像ストリームを順次再生するためのプレイリストを生成する生成手段と、
前記生成手段により生成されたプレイリスト、及び前記分割手段により分割された映像ストリームの各分割部分を独立したファイルとして前記ランダムアクセス可能な記録媒体に記録する記録手段とを有することを特徴とする記録装置。
【請求項２】
前記検出手段により検出された不連続点より任意の不連続点に係る映像ストリームを使用者に選択させるための選択手段とを有し、
前記生成手段は、前記選択手段により選択された不連続点に対応した前記映像ストリームを選択して再生するための前記プレイリストを生成することを特徴とする請求項１に記載の記録装置。
【請求項３】
前記検出手段は、前記映像ストリームに含まれる所定の冗長データ、タイムコードやタイムスタンプ、及び日時等の時刻情報の不連続、不連続フラグ、または不連続パケットの何れかを検出することにより前記不連続点の検出を行うことを特徴とする請求項１または２に記載の記録装置。
【請求項４】
前記冗長データは、符号レート調整のために挿入されたスタッフィングデータ、または符号レート調整のために挿入された直前の映像ピクチャを参照して複製するコピーピクチャであることを特徴とする請求項３に記載の記録装置。
【請求項５】
前記映像ストリームは、再生装置により磁気テープより再生されて送信されることを特徴とする請求項１に記載の記録装置。
【請求項６】
再生装置によりテープ媒体より再生された映像ストリームを受信し、ランダムアクセス可能な記録媒体に記録する記録装置であって、
前記再生装置により早送り再生されて送信された前記映像ストリームを受信する受信手段と、
前記受信手段により受信された早送り再生の映像ストリームの不連続点を検出する検出手段と、
前記検出手段により検出された不連続点より任意の不連続点に係る映像ストリームを使用者に選択させ、前記選択された不連続点に係る映像ストリームを選択して前記テープ媒体より通常再生するよう前記再生装置に指示する選択手段と、
前記選択手段の指示に応じて前記再生装置により通常再生され、前記受信手段により受信された映像ストリームを前記ランダムアクセス可能な記録媒体に記録する記録手段と、
前記選択手段の選択結果に基づいて、前記記録手段により記録された各不連続点に係る映像ストリームを再生するためのプレイリストを生成する生成手段とを有することを特徴とする記録装置。
【請求項７】
伝送路を介して送信された映像ストリームを受信し、ランダムアクセス可能な記録媒体に記録する記録方法であって、
前記受信した映像ストリームの不連続点を検出する検出工程と、
前記検出工程により検出された不連続点の前後で前記映像ストリームを分割する分割工程と、
前記分割工程により分割された不連続点ごとの映像ストリームを順次再生するためのプレイリストを生成する生成工程と、
前記生成工程により生成されたプレイリスト、及び前記分割工程により分割された映像ストリームの各分割部分を独立したファイルとして前記ランダムアクセス可能な記録媒体に記録する記録工程とを有することを特徴とする記録方法。
【請求項８】
前記検出工程により検出された不連続点より任意の不連続点に係る映像ストリームを使用者に選択させるための選択工程とを有し、
前記生成工程は、前記選択工程により選択された不連続点に対応した前記映像ストリームを選択して再生するための前記プレイリストを生成することを特徴とする請求項７に記載の記録方法。
【請求項９】
前記検出工程は、前記映像ストリームに含まれる所定の冗長データ、タイムコードやタイムスタンプ、及び日時等の時刻情報の不連続、不連続フラグ、または不連続パケットの何れかを検出することにより前記不連続点の検出を行うことを特徴とする請求項７または８に記載の記録方法。
【請求項１０】
前記冗長データは、符号レート調整のために挿入されたスタッフィングデータ、または符号レート調整のために挿入された直前の映像ピクチャを参照して複製するコピーピクチャであることを特徴とする請求項９に記載の記録方法。
【請求項１１】
前記映像ストリームは、再生装置により磁気テープより再生されて送信されることを特徴とする請求項７に記載の記録方法。
【請求項１２】
再生装置によりテープ媒体より再生された映像ストリームを受信し、ランダムアクセス可能な記録媒体に記録する記録方法であって、
前記再生装置により早送り再生されて送信された前記映像ストリームを受信する受信工程と、
前記受信工程により受信された早送り再生の映像ストリームの不連続点を検出する検出工程と、
前記検出工程により検出された不連続点より任意の不連続点に係る映像ストリームを使用者に選択させ、前記選択された不連続点に係る映像ストリームを選択して前記テープ媒体より通常再生するよう前記再生装置に指示する選択工程と、
前記選択工程の指示に応じて前記再生装置により通常再生され、前記受信工程により受信された映像ストリームを前記ランダムアクセス可能な記録媒体に記録する記録工程と、
前記選択工程の選択結果に基づいて、前記記録工程により記録された各不連続点に係る映像ストリームを再生するためのプレイリストを生成する生成工程とを有することを特徴とする記録方法。
【請求項１３】
伝送路を介して送信された映像ストリームを受信し、ランダムアクセス可能な記録媒体に記録する記録方法をコンピュータに実行させるコンピュータプログラムであって、
前記受信した映像ストリームの不連続点を検出する検出工程と、
前記検出工程により検出された不連続点の前後で前記映像ストリームを分割する分割工程と、
前記分割工程により分割された不連続点ごとの映像ストリームを順次再生するためのプレイリストを生成する生成工程と、
前記生成工程により生成されたプレイリスト、及び前記分割工程により分割された映像ストリームの各分割部分を独立したファイルとして前記ランダムアクセス可能な記録媒体に記録する記録工程とを有する記録方法をコンピュータに実行させることを特徴とするコンピュータプログラム。
【請求項１４】
再生装置によりテープ媒体より再生された映像ストリームを受信し、ランダムアクセス可能な記録媒体に記録する記録方法をコンピュータに実行させるコンピュータプログラムであって、
前記再生装置により早送り再生されて送信された前記映像ストリームを受信する受信工程と、
前記受信工程により受信された早送り再生の映像ストリームの不連続点を検出する検出工程と、
前記検出工程により検出された不連続点より任意の不連続点に係る映像ストリームを使用者に選択させ、前記選択された不連続点に係る映像ストリームを選択して前記テープ媒体より通常再生するよう前記再生装置に指示する選択工程と、
前記選択工程の指示に応じて前記再生装置により通常再生され、前記受信工程により受信された映像ストリームを前記ランダムアクセス可能な記録媒体に記録する記録工程と、
前記選択工程の選択結果に基づいて、前記記録工程により記録された各不連続点に係る映像ストリームを再生するためのプレイリストを生成する生成工程とを有する記録方法をコンピュータに実行させることを特徴とするコンピュータプログラム。
【請求項１５】
前記請求項１３または１４に記載のコンピュータプログラムを記録したことを特徴とするコンピュータ読み取り可能な記録媒体。
【発明の詳細な説明】
【技術分野】
【０００１】
本発明は記録装置及び記録方法に関し、特に、伝送路を介して送られてくるテープ媒体より再生された映像ストリームを受信し、ランダムアクセス可能な記録媒体に記録するために用いて好適な技術に関する。
【背景技術】
【０００２】
近年、デジタル信号処理技術の進歩により、動画像や静止画像、音声等のような大量のデジタル情報を高能率符号化し、小型情報記録媒体への記録や通信媒体による伝送を行うことが可能となっている。このような技術を応用し、容易に高品位な映像を撮影して即座に情報記録媒体へ出力できる撮像装置などの開発が行われている。
【０００３】
この種の装置として、従来、映像信号を撮影し、ＭＰＥＧなどの高能率符号化方式により符号化し、磁気テープに記録するようにしたデジタルＶＴＲが知られている（例えば、特許文献１参照）。
【０００４】
また、近年では、磁気テープに代わり、光ディスクなどのディスク媒体に対して映像信号を記録するディスクレコーダも登場している。
【０００５】
デジタルビデオカメラでは、映像信号をデジタル信号として扱うため、映像信号を符号化したままの状態で外部機器に送信する機能や、符号化されたデジタル映像信号を外部機器から受信して記録する機能を持つことが多い。そのため、このようなデジタルビデオカメラ同士をケーブルなどで接続することで、デジタル映像信号を容易にダビングすることが可能となる。
【０００６】
【特許文献１】特開２００４−１６４７３１号公報
【発明の開示】
【発明が解決しようとする課題】
【０００７】
前述のように、近年、ディスクレコーダが登場したことに伴い、ビデオカメラとディスクレコーダとを接続し、テープに記録されている映像信号をデジタル形式のままディスクに記録するという状況が考えられる。
【０００８】
その場合、ビデオカメラとディスクレコーダとを信号ケーブルで接続し、テープ媒体の再生信号を順次ディスク媒体に転送することにより行う。この場合、ビデオカメラにおいては、１回の撮影時間は一般に数秒〜数分であり、通常、１本のテープには数回〜数十回にわたって断続的に撮影されたシーンの映像信号が記録されていることになる。
【０００９】
そして、このように断続的に撮影を繰り返した場合であっても、テープ上には連続した一連の映像ストリームとして記録されている。このため、これを再生してデジタル形式のまま送信する場合、テープに記録されている映像信号全体がひとつのストリームとして送信される。そのため、ディスクレコーダでは、このような一連のストリームを受信し、ディスク上でもひとつのファイルとして保存することになる。
【００１０】
すなわち、本来は複数回の撮影で断続的に記録された映像信号が、ディスク上では一つのファイルとして管理されることになる。このため、ディスク上で各シーンの先頭から再生したいと思った場合にも、ユーザがその都度ファイル先頭から検索しなければならない面倒があった。
本発明は前述の問題点にかんがみ、テープ媒体に記録された映像をディスク媒体へ転送して記録する際の操作性を向上できるようにするとともに、ディスク媒体に記録した映像のアクセス性を向上できるようにすることを目的とする。
【課題を解決するための手段】
【００１１】
本発明の記録装置は、伝送路を介して送信された映像ストリームを受信し、ランダムアクセス可能な記録媒体に記録する記録装置であって、前記受信した映像ストリームの不連続点を検出する検出手段と、前記検出手段により検出された不連続点の前後で前記映像ストリームを分割する分割手段と、前記分割手段により分割された不連続点ごとの映像ストリームを順次再生するためのプレイリストを生成する生成手段と、前記生成手段により生成されたプレイリスト、及び前記分割手段により分割された映像ストリームの各分割部分を独立したファイルとして前記ランダムアクセス可能な記録媒体に記録する記録手段とを有することを特徴とする。
また、本発明の記録装置の他の特徴とするところは、再生装置によりテープ媒体より再生された映像ストリームを受信し、ランダムアクセス可能な記録媒体に記録する記録装置であって、前記再生装置により早送り再生されて送信された前記映像ストリームを受信する受信手段と、前記受信手段により受信された早送り再生の映像ストリームの不連続点を検出する検出手段と、前記検出手段により検出された不連続点より任意の不連続点に係る映像ストリームを使用者に選択させ、前記選択された不連続点に係る映像ストリームを選択して前記テープ媒体より通常再生するよう前記再生装置に指示する選択手段と、前記選択手段の指示に応じて前記再生装置により通常再生され、前記受信手段により受信された映像ストリームを前記ランダムアクセス可能な記録媒体に記録する記録手段と、前記選択手段の選択結果に基づいて、前記記録手段により記録された各不連続点に係る映像ストリームを再生するためのプレイリストを生成する生成手段とを有することを特徴とする。
【００１２】
本発明の記録方法は、伝送路を介して送信された映像ストリームを受信し、ランダムアクセス可能な記録媒体に記録する記録方法であって、前記受信した映像ストリームの不連続点を検出する検出工程と、前記検出工程により検出された不連続点の前後で前記映像ストリームを分割する分割工程と、前記分割工程により分割された不連続点ごとの映像ストリームを順次再生するためのプレイリストを生成する生成工程と、前記生成工程により生成されたプレイリスト、及び前記分割工程により分割された映像ストリームの各分割部分を独立したファイルとして前記ランダムアクセス可能な記録媒体に記録する記録工程とを有することを特徴とする。
また、本発明の記録方法の他の特徴とするところは、再生装置によりテープ媒体より再生された映像ストリームを受信し、ランダムアクセス可能な記録媒体に記録する記録方法であって、前記再生装置により早送り再生されて送信された前記映像ストリームを受信する受信工程と、前記受信工程により受信された早送り再生の映像ストリームの不連続点を検出する検出工程と、前記検出工程により検出された不連続点より任意の不連続点に係る映像ストリームを使用者に選択させ、前記選択された不連続点に係る映像ストリームを選択して前記テープ媒体より通常再生するよう前記再生装置に指示する選択工程と、前記選択工程の指示に応じて前記再生装置により通常再生され、前記受信工程により受信された映像ストリームを前記ランダムアクセス可能な記録媒体に記録する記録工程と、前記選択工程の選択結果に基づいて、前記記録工程により記録された各不連続点に係る映像ストリームを再生するためのプレイリストを生成する生成工程とを有することを特徴とする。
【００１３】
本発明のコンピュータプログラムは、伝送路を介して送信された映像ストリームを受信し、ランダムアクセス可能な記録媒体に記録する記録方法をコンピュータに実行させるコンピュータプログラムであって、前記受信した映像ストリームの不連続点を検出する検出工程と、前記検出工程により検出された不連続点の前後で前記映像ストリームを分割する分割工程と、前記分割工程により分割された不連続点ごとの映像ストリームを順次再生するためのプレイリストを生成する生成工程と、前記生成工程により生成されたプレイリスト、及び前記分割工程により分割された映像ストリームの各分割部分を独立したファイルとして前記ランダムアクセス可能な記録媒体に記録する記録工程とを有する記録方法をコンピュータに実行させることを特徴とする。
また、本発明のコンピュータプログラムの他の特徴とするところは、再生装置によりテープ媒体より再生された映像ストリームを受信し、ランダムアクセス可能な記録媒体に記録する記録方法をコンピュータに実行させるコンピュータプログラムであって、前記再生装置により早送り再生されて送信された前記映像ストリームを受信する受信工程と、前記受信工程により受信された早送り再生の映像ストリームの不連続点を検出する検出工程と、前記検出工程により検出された不連続点より任意の不連続点に係る映像ストリームを使用者に選択させ、前記選択された不連続点に係る映像ストリームを選択して前記テープ媒体より通常再生するよう前記再生装置に指示する選択工程と、前記選択工程の指示に応じて前記再生装置により通常再生され、前記受信工程により受信された映像ストリームを前記ランダムアクセス可能な記録媒体に記録する記録工程と、前記選択工程の選択結果に基づいて、前記記録工程により記録された各不連続点に係る映像ストリームを再生するためのプレイリストを生成する生成工程とを有する記録方法をコンピュータに実行させることを特徴とする。
【００１４】
本発明の記録媒体は、前記に記載のコンピュータプログラムを記録したことを特徴とする。
【発明の効果】
【００１５】
本発明によれば、映像ストリームの不連続部分においてファイルを複数に分割してランダムアクセス可能な記録媒体に保存し、前記保存した複数のファイルを後でまとめるためのプレイリストを生成するようにした。これにより、テープ媒体にシーケンシャルに記録された映像を自動的に分割して、ランダムアクセス可能なディスク媒体上の個別なファイルとしてダビングすることができる。また、テープ媒体の映像をディスク媒体へ容易な操作で転送できるとともに、ディスク媒体に転送した後で映像に対するアクセス性を向上することができる。
【発明を実施するための最良の形態】
【００１６】
（第１の実施形態）
以下、本発明の実施形態について図面を参照して説明する。
図１は、本実施形態による映像記録再生装置の構成例を示すブロック図である。
図１において、１０１はテープ媒体、１０２は再生部、１０３は送信部、１０４は受信部、１０５は記録部、１０６はディスク媒体、１０７は検出部、１０８は分割部、１０９はリスト生成部である。
【００１７】
図１において、再生部１０２、送信部１０３が再生装置としてのデジタルＶＴＲ１００Ａを構成し、受信部１０４、記録部１０５、分割部１０８、検出部１０７、リスト生成部１０９が記録装置としてのディスクレコーダ１００Ｂを構成する。
【００１８】
本実施形態による映像記録再生装置は、テープ媒体１０１に記録されている映像ストリームを再生部１０２で再生し、送信部１０３から受信部１０４へ転送する。送信部１０３と受信部１０４との通信には、IEEE１３９４など既知のデジタルインタフェースが用いられる。受信部１０４は受信した映像ストリームを検出部１０７と分割部１０８に供給する。検出部１０７は映像ストリームの不連続点を検出し、検出位置を分割部１０８とリスト生成部１０９に供給する。
【００１９】
図２は、テープ媒体１０１上の映像ストリームの一例を示す図である。図２において、２０１、２０２、２０３、２０４は断続的に撮影された映像情報を示している。２０５、２０６、２０７、２０８は付加情報である。本実施形態において付加情報とは、例えばテープ媒体１０１上の記録トラック１０本毎に記録する映像の付随データである。図２に示すように、タイムコードや記録トラック番号、記録トリガーフラグなどが格納されている。
【００２０】
前記検出部１０７は、付加情報から映像の不連続点を検出する。すなわち、トラック番号やタイムコードおよび日時の不連続や、記録トリガーフラグのパルスが発生している箇所を見つけ出す。こうした箇所はシーンが不連続であることを意味している。
【００２１】
また、映像ストリーム中にも、ISO/IEC13818-１に記載のようなタイムスタンプPTS、DTSが格納されているので、これらの不連続からも不連続点を検出することができる。
【００２２】
図３は、テープ媒体１０１上の映像ストリームの他の例を示す図である。図３において、３０１、３０２、３０３、３０４は断続的に撮影された映像情報、３１２、３１３は付加情報である。また、３１０は不連続パケット、３１１は冗長データである。
【００２３】
不連続パケット３１０とは、EN 300 468に記載のDITパケットのように、映像ストリームの不連続性を示す情報パケットである。検出部１０７は、この不連続パケットを検出することによって不連続点を検出できる。あるいは、前記付加情報３１２、３１３にこの不連続パケット３１０の存在を示す不連続フラグを検出してもよい。
【００２４】
続いて、冗長データ３１１について、図４を用いて説明する。図４は、ISO/IEC13818-2に記載のVBVバッファを示している。ビデオエレメンタリストリーム４０１と４０２のバッファ推移には不連続があるため、バッファ量の不足４０４が生じる。そのため、テープ媒体１０１の連続性を保つため、冗長データとしてスタッフィングデータが挿入されている。すなわち、バッファ量の不足４０４に相当するゼロの連続がテープ上に記録されている。
【００２５】
冗長データ３１１の他の例にコピーピクチャとよばれるデータがある。図４におけるエレメンタリーストリーム４０２と４０３のバッファ推移には不連続があり、ピクチャの不足が生じる。そのため、テープ媒体１０１の連続性を保つため、冗長データとしてコピーピクチャ４０５が挿入されている。
【００２６】
コピーピクチャとは、不足を補うためのダミーピクチャで、そのデータ構成はISO/IEC13818-2に記載のPピクチャもしくはBピクチャの形式で、直前のピクチャを参照しそのまま複製する符号列である。スタッフィングデータ、コピーピクチャとも、このように連続性を保つ符号レートの調整のため挿入されるもので、本来の撮影映像ではない。
【００２７】
分割部１０８は、前述のようにして検出部１０７が検出した不連続点ごとに映像ストリームを分割するように記録部１０５に指示する。記録部１０５はこの指示に従い、受信部１０４から供給される映像ストリームを、分割した個々のファイルとしてディスク媒体１０６に記録する。また、前記のスタッフィングデータ、コピーピクチャともに分割後には無駄なデータであるので、分割部１０８はこれらを除去して記録するように記録部１０５に指示する。
【００２８】
リスト生成部１０９は、検出部１０７が検出した不連続点ごとの映像ストリームに基づいて作成されるファイルのリストを受け取り、記録部１０５を通じてディスク媒体１０６にプレイリストとして記録する。このプレイリストには、テープ媒体１０１の再生順に、前記分割されたファイルが登録される。そのため、このプレイリストに従って再生することにより、テープ媒体１０１と同様に連続した映像として前記ファイル群を再生することができる。
【００２９】
（第２の実施形態）
以下、本発明の第２の実施形態について図面を参照して説明する。
図５は、本実施形態によるシステム構成例を示すブロック図である。図５のシステムは再生装置としてのデジタルＶＴＲ５００Ａと記録装置としてのディスクレコーダ５００Ｂから構成される。
【００３０】
図５において、５０１はテープ媒体、５０２は再生部、５０３は送信部、５０４は受信部、５０５は記録部、５０６はディスク媒体、５０７は検出部、５０８は分割部、５０９はリスト生成部、５１０は選択部である。
【００３１】
本実施形態の映像記録再生装置は、テープ媒体５０１に記録されている映像ストリームを再生部５０２で再生し、送信部５０３から受信部５０４へ転送する。送信部５０３と受信部５０４との通信には、IEEE１３９４など既知のデジタルインタフェースが用いられる。
【００３２】
受信部５０４は、受信した映像ストリームを検出部５０７と分割部５０８に供給する。検出部５０７は前記第１の実施形態における検出部１０７と同様に、映像ストリームの不連続点を検出し、検出位置を選択部５１０に供給する。
【００３３】
選択部５１０は、検出部５０７から供給される不連続点により分割できる映像の一覧を使用者に提示し、使用者の選択を仰ぐためのものである。一つないし複数個の使用者の選択情報を受け取り、これらの受け取った選択情報をリスト生成部５０９に供給する。
【００３４】
分割部５０８は、図１と同様、検出部５０７による不連続点の検出結果に基づき映像ストリームを分割するよう記録部５０５に指示する。記録部５０５はこの指示に従い、受信部５０４から供給される映像ストリームを、分割した個々のファイルとしてディスク媒体５０６に記録する。また、前記のスタッフィングデータ、コピーピクチャとも分割後には無駄なデータであるので、分割部５０８はこれらを除去して記録するよう記録部５０５に指示する。
【００３５】
リスト生成部５０９は、前記選択部５１０から選択情報を受け取り、ディスク５０６に分割されて記録された各ファイルのうち、選択部５１０により選択されたファイルのみを指定したプレイリストを生成し、記録部５０５を通じてディスク媒体５０６に記録する。そのため、このプレイリストに従って再生することにより、テープ媒体５０１に記録されていたシーンのうち、ディスク５０６に記録する際に選択したシーンが連続した映像として再生される。
【００３６】
（第３の実施形態）
以下、本発明の第３の実施形態について図面を参照して説明する。
図６は、本実施形態によるシステム構成例を示すブロック図である。図６のシステムは、再生装置としてのデジタルＶＴＲ６００Ａと記録装置としてのディスクレコーダ６００Ｂから構成される。
【００３７】
図６において、６０１はテープ媒体、６０２は再生部、６１１は早送り再生部、６０３は送信部、６０４は受信部、６０５は記録部、６０６はディスク媒体、６０７は検出部、６０９はリスト生成部、６１０は選択部である。
【００３８】
本実施形態による映像記録再生装置は、まずテープ媒体６０１に記録されている映像ストリームを早送り再生部６１１で再生し、送信部６０３から受信部６０４へ転送する。早送り再生部６１１は、通常再生の１０倍程度の速度で再生する。
【００３９】
例えば、MPEG方式の映像の場合は、１GOPにつき、１フレームから２フレーム程度のデータを選択して再生される。送信部６０３と受信部６０４との通信には、IEEE１３９４など既知のデジタルインタフェースが用いられる。受信部６０４は受信した早送り映像ストリームを検出部６０７に供給する。
【００４０】
本実施形態においては、早送り映像ストリームにも、通常再生の映像ストリームに対応する付加情報が与えられるので、検出部６０７は前記第１の実施形態における検出部１０７と同様に不連続点を検出し、検出位置を選択部６１０に供給する。
【００４１】
選択部６１０は、供給される不連続点により分割できる映像の一覧を使用者に提示し、使用者の選択を仰ぐ。一つないし複数個の使用者の選択情報を受け取り、選択情報を再生部６０２とリスト生成部６０９に供給する。再生部との通信は、図６のように直接行ってもよいし、送信部６０３および受信部６０４をつなぐデジタルインタフェースを経由するようにしてもよい。
【００４２】
再生部６０２は、供給される選択情報に基づいてテープ媒体６０１の頭出しをし、選択された範囲の映像のみを通常再生する。このように順次、通常再生された映像ストリーム、すなわち、使用者によって選択された映像のみを再生した映像ストリームは、送信部６０３と受信部６０４を経て、記録部６０５に供給される。記録部６０５は供給される、選択された映像ストリームをディスク媒体６０６に記録する。
【００４３】
リスト生成部６０９は、前記選択情報を選択部６１０から受け取り、プレイリストとして記録部６０５を通じてディスク媒体６０６に記録する。プレイリストには、テープ媒体６０１の再生順に、前記分割されたファイルが登録される。そのため、このプレイリストに従うことにより、テープ媒体６０１と同様に連続した映像として前記ファイル群を再生することができる。
【００４４】
（本発明に係る他の実施形態）
前述した本発明の実施形態における記録装置及び映像信号再生装置を構成する各手段、並びに記録方法及び映像信号再生方法の各ステップは、コンピュータのＲＡＭやＲＯＭなどに記憶されたプログラムが動作することによって実現できる。このプログラム及び前記プログラムを記録したコンピュータ読み取り可能な記録媒体は本発明に含まれる。
【００４５】
また、本発明は、例えば、システム、装置、方法、プログラムもしくは記憶媒体等としての実施形態も可能であり、具体的には、複数の機器から構成されるシステムに適用してもよいし、また、一つの機器からなる装置に適用してもよい。
【００４６】
なお、本発明は、前述した実施形態の機能を実現するソフトウェアのプログラム、システムあるいは装置に直接、あるいは遠隔から供給する。そして、そのシステムあるいは装置のコンピュータが前記供給されたプログラムコードを読み出して実行することによっても達成される場合を含む。
【００４７】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００４８】
その場合、プログラムの機能を有していれば、オブジェクトコード、インタプリタにより実行されるプログラム、ＯＳに供給するスクリプトデータ等の形態であってもよい。
【００４９】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷなどがある。また、磁気テープ、不揮発性のメモリカード、ＲＯＭ、ＤＶＤ（ＤＶＤ−ＲＯＭ、ＤＶＤ−Ｒ）などもある。
【００５０】
その他、プログラムの供給方法としては、クライアントコンピュータのブラウザを用いてインターネットのホームページに接続する。そして、前記ホームページから本発明のコンピュータプログラムそのもの、もしくは圧縮され自動インストール機能を含むファイルをハードディスク等の記録媒体にダウンロードすることによっても供給できる。
【００５１】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００５２】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、ダウンロードした鍵情報を使用することにより暗号化されたプログラムを実行してコンピュータにインストールさせて実現することも可能である。
【００５３】
また、コンピュータが、読み出したプログラムを実行することによって、前述した実施形態の機能が実現される。その他、そのプログラムの指示に基づき、コンピュータ上で稼動しているＯＳなどが、実際の処理の一部または全部を行い、その処理によっても前述した実施形態の機能が実現され得る。
【００５４】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【００５５】
【図１】本発明の第１の実施形態を示し、映像記録再生装置の全体構成例を示すブロック図である。
【図２】テープ媒体上の映像ストリームの一例を示す図である。
【図３】テープ媒体上の映像ストリームの他の例を示す図である。
【図４】符号化バッファの推移を示す図である。
【図５】本発明の第２の実施形態を示し、映像記録再生装置の全体構成例を示すブロック図である。
【図６】本発明の第３の実施形態を示し、映像記録再生装置の全体構成例を示すブロック図である。
【符号の説明】
【００５６】
１０１  テープ媒体
１０２  再生部
１０３  送信部
１０４  受信部
１０５  記録部
１０６  ディスク媒体
１０７  検出部
１０８  分割部
１０９  リスト生成部
【図１】
2007110247.tif 000003
【図２】
2007110247.tif 000004
【図３】
2007110247.tif 000005
【図４】
2007110247.tif 000006
【図５】
2007110247.tif 000007
【図６】
2007110247.tif 000008